(57)【要約】【課題】本発明は、リストに従い好みの印象の楽曲を利用させる。【解決手段】本発明は、複数の楽曲それぞれの印象を数値化して得られる楽曲印象値と、基準印象値を基準とした選択範囲内の複数の楽曲印象値に対応する複数の楽曲を登録して利用させるためのリスト５０とを記録しておき、楽曲の再生に応じて、当該リスト５０に登録された複数の楽曲の評価値を検出し、当該検出した評価値に基づいて選択範囲を変更するようにして、その変更した選択範囲と、記録していた複数の楽曲印象値とに応じてリスト５０を修正することにより、楽曲印象値を使用して作成されたリスト５０を、好みの印象の楽曲を登録するように修正することができ、リスト５０に従い好みの印象の楽曲を利用させることができる。【選択図】        図１１
2007172138.tif 000002
【特許請求の範囲】
【請求項１】
複数のコンテンツそれぞれの印象を数値化して得られるコンテンツ印象値と、基準印象値を基準とした選択範囲内の複数の上記コンテンツ印象値に対応する複数の上記コンテンツを登録して利用させるためのリストとを記録する記録部と、
上記コンテンツを再生する再生部と、
上記再生部による上記コンテンツの再生に応じて、上記リストに登録された複数の上記コンテンツの評価値を検出する評価値検出部と、
上記評価値検出部により検出された上記評価値に基づいて上記選択範囲を変更する選択範囲変更部と、
上記選択範囲変更部により変更された上記選択範囲と、複数の上記コンテンツ印象値とに応じて上記リストを修正するリスト修正部と
を具えることを特徴とするコンテンツ再生装置。
【請求項２】
上記記録部は、
複数の上記コンテンツを記録し、
上記再生部は、
上記リストに従い上記記録部から上記登録された複数の上記コンテンツを読み出して再生し、
上記評価値検出部は、
上記再生部による上記コンテンツの再生に応じて、上記リストに登録された複数の上記コンテンツの上記評価値として、当該複数の上記コンテンツ全体の合計再生回数を検出し、
上記選択範囲変更部は、
上記評価値検出部により検出された上記評価値としての上記合計再生回数が所定の合計基準再生回数以上であると、上記選択範囲を広げるように変更する
ことを特徴とする請求項１に記載のコンテンツ再生装置。
【請求項３】
上記記録部は、
複数の上記コンテンツを記録し、
上記再生部は、
上記リストに従い上記記録部から上記登録された複数の上記コンテンツを読み出して再生し、
上記評価値検出部は、
上記再生部による上記コンテンツの再生に応じて、上記リストに登録された複数の上記コンテンツの上記評価値として、当該複数の上記コンテンツ全体の合計再生回数を検出し、
上記選択範囲変更部は、
上記評価値検出部により検出された上記評価値としての上記合計再生回数が所定の合計基準再生回数よりも少ないと、上記選択範囲を狭めるように変更する
ことを特徴とする請求項１に記載のコンテンツ再生装置。
【請求項４】
上記記録部は、
複数の上記コンテンツを記録し、
上記再生部は、
上記リストに従い上記記録部から上記登録された複数の上記コンテンツを読み出して再生し、
上記評価値検出部は、
上記再生部による上記コンテンツの再生に応じて、上記リストに登録された複数の上記コンテンツの上記評価値として当該コンテンツ毎の再生回数を検出し、
上記選択範囲変更部は、
上記評価値検出部により検出された上記評価値としての上記コンテンツ毎の上記再生回数に基づいて上記基準印象値を補正する
ことを特徴とする請求項１に記載のコンテンツ再生装置。
【請求項５】
上記選択範囲変更部は、
上記補正した上記基準印象値を基準として上記選択範囲を変更する
ことを特徴とする請求項４に記載のコンテンツ再生装置。
【請求項６】
上記記録部は、
複数の上記コンテンツを記録し、
上記再生部は、
上記リストに従い上記記録部から上記登録された複数の上記コンテンツを読み出して再生し、
上記評価値検出部は、
上記再生部による上記コンテンツの再生に応じて、上記リストに登録された複数の上記コンテンツの上記評価値として当該コンテンツ毎の再生回数を検出し、
上記選択範囲変更部は、
上記評価値検出部により検出された上記評価値としての上記コンテンツ毎の上記再生回数に基づいて、上記リストに登録された複数の上記コンテンツに対応する複数の上記コンテンツ印象値それぞれを基準とした個別選択範囲を決定し、
上記リスト修正部は、
複数の上記コンテンツ印象値それぞれを基準とした上記個別選択範囲内の複数の上記コンテンツ印象値に対応する複数の上記コンテンツを登録した複数の新たなリストを作成する
ことを特徴とする請求項１に記載のコンテンツ再生装置。
【請求項７】
上記コンテンツ印象値は、
上記コンテンツの印象を表すための項目を数値化して得られる
ことを特徴とする請求項１に記載のコンテンツ再生装置。
【請求項８】
上記コンテンツ印象値は、
上記コンテンツの印象を表すための複数種類の項目それぞれを数値化して得られる
ことを特徴とする請求項７に記載のコンテンツ再生装置。
【請求項９】
複数のコンテンツそれぞれの印象を数値化して得られるコンテンツ印象値と、基準印象値を基準とした選択範囲内の複数の上記コンテンツ印象値に対応する複数の上記コンテンツを登録して利用させるためのリストとを記録する記録部と、
上記コンテンツを再生するコンテンツ再生装置と通信し、当該コンテンツ再生装置から上記リストに登録された複数の上記コンテンツの評価値を検出することにより送信された当該評価値を受信する通信部と、
上記通信部により受信された上記評価値に基づいて上記選択範囲を変更する選択範囲変更部と、
上記選択範囲変更部により変更された上記選択範囲と、複数の上記コンテンツ印象値とに応じて上記リストを修正するリスト修正部と
を具えることを特徴とするリスト修正装置。
【請求項１０】
上記通信部は、
上記リスト修正部により修正された上記リストを上記コンテンツ再生装置に送信する
ことを特徴とする請求項９に記載のリスト修正装置。
【請求項１１】
上記記録部は、
複数の上記コンテンツを記録し、
上記通信部は、
上記記録部から、上記リスト修正部により修正された上記リストに登録されている複数の上記コンテンツを読み出して上記コンテンツ再生装置に送信する
ことを特徴とする請求項１０に記載のリスト修正装置。
【請求項１２】
上記通信部は、
上記コンテンツ再生装置から、上記リストに登録された複数の上記コンテンツを再生するようにして、上記リストに登録された複数の上記コンテンツの上記評価値として当該複数の上記コンテンツ全体の合計再生回数を検出することにより送信された当該合計再生回数を受信し、
上記選択範囲変更部は、
上記通信部により受信された上記評価値としての上記合計再生回数が所定の合計基準再生回数以上であると、上記選択範囲を広げるように変更する
ことを特徴とする請求項９に記載のリスト修正装置。
【請求項１３】
上記通信部は、
上記コンテンツ再生装置から、上記リストに登録された複数の上記コンテンツを再生するようにして、上記リストに登録された複数の上記コンテンツの上記評価値として当該複数の上記コンテンツ全体の合計再生回数を検出することにより送信された当該合計再生回数を受信し、
上記選択範囲変更部は、
上記通信部により受信された上記評価値としての上記合計再生回数が所定の合計基準再生回数よりも少ないと、上記選択範囲を狭めるように変更する
ことを特徴とする請求項９に記載のリスト修正装置。
【請求項１４】
上記通信部は、
上記コンテンツ再生装置から、上記リストに登録された複数の上記コンテンツを再生するようにして、上記リストに登録された複数の上記コンテンツの上記評価値として当該コンテンツ毎の再生回数を検出することにより送信された上記コンテンツ毎の上記再生回数を受信し、
上記選択範囲変更部は、
上記通信部により受信された上記評価値としての上記コンテンツ毎の上記再生回数に基づいて上記基準印象値を補正する
ことを特徴とする請求項９に記載のリスト修正装置。
【請求項１５】
上記選択範囲変更部は、
上記補正した上記基準印象値を基準として上記選択範囲を変更する
ことを特徴とする請求項１４に記載のリスト修正装置。
【請求項１６】
上記通信部は、
上記コンテンツ再生装置から、上記リストに登録された複数の上記コンテンツを再生するようにして、上記リストに登録された複数の上記コンテンツの上記評価値として当該コンテンツ毎の再生回数を検出することにより送信された上記コンテンツ毎の上記再生回数を受信し、
上記選択範囲変更部は、
上記通信部により受信された上記評価値としての上記コンテンツ毎の上記再生回数に基づいて、上記リストに登録された複数の上記コンテンツに対応する複数の上記コンテンツ印象値それぞれを基準とした個別選択範囲を決定し、
上記リスト修正部は、
複数の上記コンテンツ印象値それぞれを基準とした上記個別選択範囲内の複数の上記コンテンツ印象値に対応する複数の上記コンテンツを登録した複数の新たなリストを作成する
ことを特徴とする請求項９に記載のリスト修正装置。
【請求項１７】
上記コンテンツ印象値は、
上記コンテンツの印象を表すための項目を数値化して得られる
ことを特徴とする請求項９に記載のリスト修正装置。
【請求項１８】
上記コンテンツ印象値は、
上記コンテンツの印象を表すための複数種類の項目それぞれを数値化して得られる
ことを特徴とする請求項１７に記載のリスト修正装置。
【請求項１９】
複数のコンテンツそれぞれの印象を数値化して得られるコンテンツ印象値と、基準印象値を基準とした選択範囲内の複数の上記コンテンツ印象値に対応する複数の上記コンテンツを登録して利用させるためのリストとを記録する記録ステップと、
上記コンテンツを再生する再生ステップと、
上記コンテンツの再生に応じて、上記リストに登録された複数の上記コンテンツの評価値を検出する評価値検出ステップと、
上記検出した上記評価値に基づいて上記選択範囲を変更する選択範囲変更ステップと、
上記変更した上記選択範囲と、複数の上記コンテンツ印象値とに応じて上記リストを修正するリスト修正ステップと
を具えることを特徴とするコンテンツ再生方法。
【請求項２０】
複数のコンテンツそれぞれの印象を数値化して得られるコンテンツ印象値と、基準印象値を基準とした選択範囲内の複数の上記コンテンツ印象値に対応する複数の上記コンテンツを登録して利用させるためのリストとを記録する記録ステップと、
上記コンテンツを再生するコンテンツ再生装置から、上記リストに登録された複数の上記コンテンツの評価値を検出することにより送信された当該評価値を受信する受信ステップと、
上記受信した上記評価値に基づいて上記選択範囲を変更する選択範囲変更ステップと、
上記変更した上記選択範囲と、複数の上記コンテンツ印象値とに応じて上記リストを修正するリスト修正ステップと
を具えることを特徴とするリスト修正方法。
【発明の詳細な説明】
【技術分野】
【０００１】
本発明はコンテンツ再生装置、リスト修正装置、コンテンツ再生方法及びリスト修正方法に関し、例えば楽曲データを記録再生するデータ記録再生装置に適用して好適なものである。
【背景技術】
【０００２】
従来の楽曲検索装置は、複数の楽曲の印象をそれぞれ数値化して表す２次元データでなる印象値を生成し、２次元平面画像上にこれら複数の印象値をそれぞれ一点として表示している。そして楽曲検索装置は、かかる２次元平面画像上で個々の点を楽曲として選択させていた（例えば、特許文献１参照）。
【特許文献１】特開２００５−１０７７１公報（第１４頁、第１５頁、図７）
【発明の開示】
【発明が解決しようとする課題】
【０００３】
ところでかかる構成の楽曲検索装置では、２次元平面画像上で複数の点をそれぞれ楽曲として選択させ、当該選択させた複数の楽曲をリストに登録すれば、かかるリストに従って複数の楽曲をまとめて容易に利用させることができる。ところがかかる楽曲検索装置は、複数の楽曲の印象を２次元データでなる印象値として表現しているため、２次元平面画像上の個々の点からは楽曲の印象を的確には認識させ難い。従ってかかる楽曲検索装置では、好みの印象のコンテンツを的確には選択させ難く、そのため複数の楽曲を選択させてリストに登録しても、かかるリストに従い好みの印象のコンテンツを利用させることができるとはいい得ないという問題があった。
【０００４】
本発明は以上の点を考慮してなされたもので、リストに従い好みの印象のコンテンツを利用させ得るコンテンツ再生装置、リスト修正装置、コンテンツ再生方法及びリスト修正方法を提案しようとするものである。
【課題を解決するための手段】
【０００５】
かかる課題を解決するため本発明においては、複数のコンテンツそれぞれの印象を数値化して得られるコンテンツ印象値と、基準印象値を基準とした選択範囲内の複数のコンテンツ印象値に対応する複数のコンテンツを登録して利用させるためのリストとを記録しておき、コンテンツの再生に応じて、当該リストに登録された複数のコンテンツの評価値を検出し、当該検出した評価値に基づいて選択範囲を変更するようにして、その変更した選択範囲と、複数のコンテンツ印象値とに応じてリストを修正するようにした。
【０００６】
従って本発明では、コンテンツ印象値を使用して作成されたリストを、好みの印象のコンテンツを登録するように修正することができる。
【発明の効果】
【０００７】
本発明によれば、複数のコンテンツそれぞれの印象を数値化して得られるコンテンツ印象値と、基準印象値を基準とした選択範囲内の複数のコンテンツ印象値に対応する複数のコンテンツを登録して利用させるためのリストとを記録しておき、コンテンツの再生に応じて、当該リストに登録された複数のコンテンツの評価値を検出し、当該検出した評価値に基づいて選択範囲を変更するようにして、その変更した選択範囲と、複数のコンテンツ印象値とに応じてリストを修正するようにしたことにより、コンテンツ印象値を使用して作成されたリストを、好みの印象のコンテンツを登録するように修正することができ、かくしてリストに従い好みの印象のコンテンツを利用させ得るコンテンツ再生装置、リスト修正装置、コンテンツ再生方法及びリスト修正方法を実現することができる。
【発明を実施するための最良の形態】
【０００８】
以下図面について、本発明の一実施の形態を詳述する。
【０００９】
図１において、１は全体としてデータ記録再生装置を示し、中央処理ユニット（CPU:Central Processing Unit ）１０がバス１１を介してＲＯＭ（Read Only Memory）１２から読み出した楽曲選択プログラムやリスト修正プログラム等の各種プログラムをＲＡＭ（Random Access Memory）１３で展開して実行することにより全体を統括制御すると共に、各種処理を実行するようになされている。これにより中央処理ユニット１０は、ユーザにより例えばデータ記録再生装置１の筐体等に設けられた操作キー１４を介して、ネットワークＮＴ上の楽曲配信サーバ（図示せず）から配信される楽曲データの取得要求が入力されると、楽曲データの配信を要求する要求信号を、ネットワークインタフェース１５を介して楽曲配信サーバに送信する。その結果、中央処理ユニット１０は、楽曲配信サーバから、要求した楽曲データがネットワークＮＴを介して送信されると、かかる楽曲データをネットワークインタフェース１５を介して受信してハードディスクドライブ１６に記録する。因みに楽曲配信サーバは、データ記録再生装置１に対し、要求された楽曲データと共に、当該楽曲データに基づく楽曲に関連する曲名やアーティスト名、楽曲の収録されたアルバムのアルバム名、当該楽曲の属するジャンルのジャンル名、かかる楽曲データ固有の楽曲識別情報等の楽曲関連情報も楽曲関連情報データとして配信している。従って中央処理ユニット１０は、楽曲配信サーバによる楽曲データの配信を利用した場合、当該楽曲配信サーバから楽曲データと共に送信される楽曲関連情報データもネットワークインタフェース１５を介して受信してハードディスクドライブ１６に記録している。
【００１０】
また中央処理ユニット１０は、ＣＤ（Compact Disc）がＣＤドライブ１７に装填された状態でユーザにより操作キー１４を介して楽曲データの記録命令が入力されると、ＣＤドライブ１７によりＣＤの楽曲データ記録領域に記録された楽曲データを読み出してハードディスクドライブ１６に記録する。ところでＣＤのデータ記録面には、楽曲データ記録領域に加えて管理データ記録領域も設けられている。かかる管理データ記録領域には、楽曲データ記録領域に記録されている楽曲データを管理するための、個々の楽曲データに対する再生時間や、再生の順番、その楽曲データ記録領域における再生開始位置等のＴＯＣ（Table Of Contents ）と呼ばれる管理データが記録されている。このため中央処理ユニット１０は、ＣＤドライブ１７によりＣＤの楽曲データ記録領域から楽曲データを読み出すとき、当該ＣＤの管理データ記録領域から管理データも読み出す。そして中央処理ユニット１０は、かかる管理データに基づきＣＤ固有の管理情報を生成し、当該生成した管理情報をネットワークインタフェース１５を介してネットワークＮＴ上のディスク情報提供サーバ（図示せず）に送信する。その結果、中央処理ユニット１０は、ディスク情報提供サーバから、ＣＤに記録されている複数の楽曲データそれぞれに関連する楽曲関連情報データがまとめられてディスク情報として返信されると、これをネットワークインタフェース１５を介して受信し、当該受信したディスク情報をハードディスクドライブ１６に記録している。このようにして中央処理ユニット１０は、ＣＤや、ネットワークＮＴ上の楽曲配信サーバを利用して複数の楽曲データを取得し保持し得るようになされている。
【００１１】
そして中央処理ユニット１０は、ユーザにより操作キー１４を介して、ハードディスクドライブ１６に記録している楽曲データの再生命令が入力されると、かかるハードディスクドライブ１６から楽曲データを読み出し、当該読み出した楽曲データを再生処理部１８に送出する。これにより再生処理部１８は、中央処理ユニット１０から与えられた楽曲データに対しデコード処理等のデジタル処理を施した後、デジタルアナログ変換処理及び増幅処理等のアナログ処理を施し、得られた楽曲信号をスピーカ１９に送出することで当該スピーカ１９から楽曲信号に基づく楽曲を出力させる。さらにデータ記録再生装置１には、ＵＳＢ（Universal Serial Bus）インタフェース等の外部機器インタフェース２０を介して携帯再生機器等の外部機器（図示せず）を接続し得るようになされている。このため中央処理ユニット１０は、ユーザにより操作キー１４を介して楽曲データの転送命令が入力されると、ハードディスクドライブ１６から楽曲データを読み出すと共に、当該読み出した楽曲データを外部機器インタフェース２０を介して外部機器に転送し、かくして外部機器に対し楽曲データを記録し得るようになされている。
【００１２】
因みに中央処理ユニット１０は、ＲＯＭ１２から読み出した各種プログラムの実行結果（例えば楽曲データの取得、再生、記録及び転送等）に基づく表示用データを表示コントローラ２１に送出する。そして表示コントローラ２１は、中央処理ユニット１０から与えられた表示用データに基づく画面をディスプレイ２２に表示する。これにより中央処理ユニット１０は、ディスプレイ２２を介して、楽曲データの取得、再生、記録及び転送等に関する各種画面をユーザに視認させ得るようになされている。
【００１３】
かかる構成に加えて、このデータ記録再生装置１の場合、中央処理ユニット１０は、ハードディスクドライブ１６に対し楽曲データを記録した際、かかる楽曲データを周波数解析等によって分析する。そして中央処理ユニット１０は、その分析結果に基づき、その楽曲データに基づく楽曲毎の印象を表すための例えば速さ、音色及び年代のような３種類の項目それぞれを数値化して第１乃至第３の印象項目値を得る。因みに図２に示すように、楽曲の印象を表すための３種類の項目のうち速さについては、楽曲が遅い感じの曲から速い感じの曲までの間でどのような感じであるかを表すものであり、数値化して得られる値が小さいほど遅い感じの強い楽曲を示し、当該値が大きいほど速い感じの強い楽曲を示している。また、かかる３種類の項目のうち音色については、楽曲がアナログ的な感じの曲からデジタル的な感じの曲までの間でどのような感じであるかを表すものであり、数値化して得られる値が小さいほどアナログ的な感じの強い楽曲を示し、当該値が大きいほどデジタル的な感じの強い楽曲を示している。さらに、かかる３種類の項目のうち年代については、楽曲が古い感じの曲から新しい感じの曲までの間でどのような感じであるかを表すものであり、数値化して得られる値が小さいほど古い感じの強い楽曲を示し、当該値が大きいほど新しい感じの強い楽曲を示している。
【００１４】
このようにして中央処理ユニット１０は、ハードディスクドライブ１６に記録した楽曲データに基づく楽曲に対し第１乃至第３の印象項目値を得ると、これらを楽曲関連情報データと共に用いて図３に示すような楽曲毎の楽曲分析情報２５を生成する。かかる楽曲毎の楽曲分析情報２５は、分析した楽曲データを識別可能な楽曲識別情報ＳＳ、楽曲の収録されたアルバムのアルバム名ＡＬ、アーティスト名ＡＴ、項目としての速さを数値化して得られた第１の印象項目値ＳＰ、項目としての音色を数値化して得られた第２の印象項目値ＥＬ、及び項目としての年代を数値化して得られた第３の印象項目値ＮＥを含んで構成されている。因みに楽曲分析情報２５の楽曲識別情報ＳＳは、分析した楽曲データの記録場所を示すパスや楽曲関連情報データに含まれる楽曲識別情報等である。そして中央処理ユニット１０は、このような楽曲分析情報２５を生成すると、これをハードディスクドライブ１６に記録する。
【００１５】
この状態で中央処理ユニット１０は、ユーザにより操作キー１４を介して楽曲選択要求が入力されると、ハードディスクドライブ１６からこれに記録している全ての楽曲分析情報２５を読み出す。この場合、図４に示すように、中央処理ユニット１０は、個々の楽曲分析情報２５に含まれる１組の第１、第２及び第３の印象項目値ＳＰ、ＥＬ及びＮＥをそのまま、互いに直交する３軸（すなわち、Ｘ軸、Ｙ軸、Ｚ軸）及びこれらの交点（すなわち、原点）を基準とした３次元空間座標とする。すなわち中央処理ユニット１０は、１組の第１、第２及び第３の印象項目値ＳＰ、ＥＬ及びＮＥのうち例えば第１の印象項目値ＳＰをＸ座標とし、第２の印象項目値ＥＬをＹ座標とし、第３の印象項目値ＮＥをＺ座標とする。そして中央処理ユニット１０は、これら複数の３次元空間座標にそれぞれ楽曲を示す星型（又は点状）の楽曲表示子ＳＩを配置した３次元空間画像ＴＤＩを、例えば初期状態としてＺ軸方向の所定の視点（以下、これを特に初期視点と呼ぶ）からＸＹ平面側を見たように（すなわち、初期視点からの視線がＸＹ平面に対し垂直となるように）２次元平面（この場合はＸＹ平面）上に投影した２次元平面画像でなる楽曲選択画像に変換する。
【００１６】
ここで、かかる３次元空間画像ＴＤＩでは、第１、第２及び第３の印象項目値ＳＰ、ＥＬ及びＮＥをそのまま３次元空間座標としていることにより、これら３次元空間座標が３種類の項目を網羅して楽曲の印象を的確に表す楽曲印象値となる。そして３次元空間画像ＴＤＩでは、これら複数の３次元空間座標にそれぞれ楽曲表示子ＳＩを配置することで、印象の似ている楽曲を示す楽曲表示子ＳＩ同士が近接して配置されることになる。ところで３次元空間画像ＴＤＩは、第１、第２及び第３の印象項目値ＳＰ、ＥＬ及びＮＥをそのまま３次元空間座標としているため、互いに直交する３軸のうちＸ軸が楽曲の印象を表す３種類の項目のうち速さに対応し、Ｙ軸が当該３種類の項目のうち音色に対応し、Ｚ軸が３種類の項目のうち年代に対応している。また３次元空間画像ＴＤＩは、Ｘ座標の値が小さいほど遅い感じの強い楽曲を示すと共に、当該Ｘ座標の値が大きいほど速い感じの強い楽曲を示し、Ｙ座標の値が小さいほどアナログ的な感じの強い楽曲を示すと共に、当該Ｙ座標の値が大きいほどデジタル的な感じの強い楽曲を示し、Ｚ座標の値が小さいほど古い感じの強い楽曲を示すと共に、当該Ｚ座標の値が大きいほど新しい感じの強い楽曲を示している。従って３次元空間画像ＴＤＩは、第１、第２及び第３の印象項目値ＳＰ、ＥＬ及びＮＥでなる３次元空間座標に配置された楽曲表示子ＳＩが、その配置位置により、対応する楽曲の印象を直感的に認識させ得るものとなっている。
【００１７】
中央処理ユニット１０は、かかる３次元空間画像ＴＤＩを２次元平面画像でなる楽曲選択画像に変換すると、その楽曲選択画像を用いて楽曲検索画面データを生成し、当該生成した楽曲検索画面データを表示コントローラ２１を介してディスプレイ２２に送出することにより当該ディスプレイ２２に対し楽曲検索画面データに基づく図５に示すような楽曲検索画面３０を表示する。この場合、楽曲検索画面３０は、楽曲選択領域３１と操作領域３２とを有しており、当該楽曲選択領域３１には２次元平面画像でなる楽曲選択画像ＳＤＩが表示されている。また楽曲選択領域３１には、楽曲選択画像ＳＤＩの一部として元の３次元空間画像ＴＤＩの基準となる３軸も初期視点からＸＹ平面側を見たように２次元平面上に投影した投影軸画像ＡＸが表示されると共に、当該楽曲選択画像ＳＤＩに重ねて、楽曲表示子ＳＩ等を指示するための指示子（以下、これをカーソルと呼ぶ）Ｃｕも表示されている。これに加えて投影軸画像ＡＸは、その一部として楽曲の印象通知用に、Ｘ軸の先端部分に速い感じの強い楽曲を示す「ｆａｓｔ」という文字が表示されると共に、Ｙ軸の先端部分にデジタル的な感じの強い楽曲を示す「ｅｌｅｃ」という文字が表示され、Ｚ軸の先端部分に新しい感じの強い楽曲を示す「ｎｅｗｌｙ」という文字が表示されている。これにより楽曲選択画像ＳＤＩでは、かかる投影軸画像ＡＸの一部としてのこれら印象通知用の文字により、Ｘ座標の値が小さいほど遅い感じの強い楽曲を示す楽曲表示子ＳＩが位置すると共に、当該Ｘ座標の値が大きいほど速い感じの強い楽曲を示す楽曲表示子ＳＩが位置し、Ｙ座標の値が小さいほどアナログ的な感じの強い楽曲を示す楽曲表示子ＳＩが位置すると共に、当該Ｙ座標の値が大きいほどデジタル的な感じの強い楽曲を示す楽曲表示子ＳＩが位置し、Ｚ座標の値が小さいほど古い感じの強い楽曲を示す楽曲表示子ＳＩが位置すると共に、当該Ｚ座標の値が大きいほど新しい感じの強い楽曲を示す楽曲表示子ＳＩが位置することを想起させ得るようになされている。
【００１８】
一方、楽曲検索画面３０の操作領域３２には、楽曲選択画像ＳＤＩ上で選択された楽曲の再生を制御するための再生開始ボタン３５、曲戻しボタン３６、曲送りボタン３７及び楽曲の再生位置を示す再生位置表示部３８が設けられている。また操作領域３２には、楽曲関連情報データに基づき、再生中の楽曲が何であるかを通知するための例えば、曲名、アルバム名及びアーティスト名等の情報（以下、これを楽曲情報と呼ぶ）を表示する再生楽曲情報表示部３９と、カーソルＣｕで指示された楽曲表示子ＳＩに対応する楽曲情報を表示する指示楽曲情報表示部４０とが設けられている。さらに操作領域３２には、楽曲を検索する際の検索条件（例えば、アーティスト名やアルバム名、ジャンル名等）を入力するための検索条件入力部４１も設けられている。さらにまた操作領域３２には、複数の楽曲の再生順序を規定する再生リスト（以下、これをプレイリスト）を作成するためのリスト作成ボタン４２も設けられている。
【００１９】
中央処理ユニット１０は、ディスプレイ２２に対し楽曲検索画面３０を表示した場合、ユーザにより操作キー１４を介してカーソルＣｕの移動命令が入力されると、これに応じて楽曲選択画像ＳＤＩ上でカーソルＣｕを任意に移動させる。このとき中央処理ユニット１０は、移動中のカーソルＣｕの例えば先端が楽曲表示子ＳＩ上に重なると、当該カーソルＣｕの重なった楽曲表示子ＳＩに対応する楽曲情報を指示楽曲情報表示部４０に表示する。また中央処理ユニット１０は、ユーザにより操作キー１４を介して、楽曲選択画像ＳＤＩの元となる３次元空間画像ＴＤＩを回転させる回転角度と共に回転命令が入力されると、３次元空間画像ＴＤＩ内で個々の楽曲表示子ＳＩの配置されている３次元空間座標を（ｘ，ｙ，ｚ）とすると共に、当該３次元空間画像ＴＤＩに対して指示されたＸ軸を中心とする回転角度をθ１とし、かつＹ軸を中心とする回転角度をθ２として、２次元平面画像でなる楽曲選択画像ＳＤＩ上の個々の楽曲表示子ＳＩのＸ座標を、（１）式
【００２０】
Ｘ＝ｘ×ｃｏｓ（θ２）−ｚ×ｓｉｎ（θ２）……（１）
【００２１】
により求めると共に、当該２次元平面画像でなる楽曲選択画像ＳＤＩ上の個々の楽曲表示子ＳＩのＹ座標を、（２）式
【００２２】
Ｙ＝（ｘ×ｓｉｎ（θ２）＋ｚ×ｃｏｓ（θ２））
×ｓｉｎ（θ１）−ｙ×ｃｏｓ（θ１）……（２）
【００２３】
により求める。
【００２４】
そして図６に示すように、中央処理ユニット１０は、このようにして求めた２次元平面画像上のＸ座標及びＹ座標（以下、これらをまとめて２次元平面座標と呼ぶ）にそれぞれ対応する楽曲表示子ＳＩを配置した楽曲選択画像ＳＤＩを生成し、これを楽曲検索画面３０の楽曲選択領域３１内に表示する。このようにして中央処理ユニット１０は、ユーザにより３次元空間画像ＴＤＩを回転させて当該３次元空間画像ＴＤＩを見るための視点を変更するように指示されたとき、かかる指示に応じて３次元空間画像ＴＤＩを、その変更指示された視点から見たように回転させて２次元平面上に投影した２次元平面画像でなる楽曲選択画像ＳＤＩに変換し、これを楽曲選択領域３１内に表示する。これにより中央処理ユニット１０は、３次元空間画像ＴＤＩを何れかの視点から見た２次元平面画像でなる楽曲選択画像ＳＤＩに変換したとき、少なくとも２つの楽曲表示子ＳＩが視線の方向に沿って前後に並び、後側の楽曲表示子ＳＩが手前の楽曲表示子ＳＩの陰に隠れて見えなくても、かかる３次元空間画像ＴＤＩをさらに回転させ視点を変更することにより、何れの楽曲表示子ＳＩもユーザに見せることができるようになされている。また中央処理ユニット１０は、ユーザの指示に応じて３次元空間画像ＴＤＩの視点を変更するとき、当該３次元空間画像ＴＤＩの基準となる３軸も、視点を変更して見たように回転させて２次元平面上に投影した投影軸画像ＡＸに変換する。これにより中央処理ユニット１０は、楽曲検索画面３０の楽曲選択領域３１内で、３次元空間画像ＴＤＩとして楽曲選択画像ＳＤＩを回転させても、当該楽曲選択画像ＳＤＩ内の投影軸画像ＡＸにより、個々の楽曲表示子ＳＩの示す楽曲がどのような印象であるかを容易に認識させ得るようになされている。
【００２５】
因みにデータ記録再生装置１では、ユーザに対し例えば操作キー１４としての矢印キーを押下させ、かかる矢印キーが押下されている間、ユーザに指示させる回転角度を連続的に増加又は減少させるようになされている。従って中央処理ユニット１０は、ユーザにより矢印キーが押下されている間、順次変化する回転角度の指示値に応じて上述した（１）式及び（２）式の演算を繰り返し実行しながら、かかる演算結果に基づき３次元空間画像ＴＤＩを徐々に回転させて視点を変更し、当該視点の変更をリアルタイムで楽曲選択画像ＳＤＩに反映させている。すなわち中央処理ユニット１０は、ユーザによる与えられる３次元空間画像ＴＤＩの回転命令に応じて楽曲検索画面３０の楽曲選択領域３１内で当該３次元空間画像ＴＤＩとして楽曲選択画像ＳＤＩを徐々に回転させている。これにより中央処理ユニット１０は、ユーザに対し、好みの印象の楽曲を示す楽曲表示子ＳＩの見え方等に応じて３次元空間画像ＴＤＩを見るための視点を容易に選定させ得るようになされている。また中央処理ユニット１０は、３次元空間画像ＴＤＩを初期視点とは異なる視点から見たように回転させ、かかる回転を楽曲検索画面３０において楽曲選択領域３１内の楽曲選択画像ＳＤＩに反映させた後、ユーザにより例えばカーソルＣｕが投影軸画像ＡＸ上に重ねられた状態で当該投影軸画像ＡＸが選択（すなわち、クリック操作に相当）されると、これに応じて入力される画像投影初期化命令に従い、３次元空間画像ＴＤＩを再び初期視点から見たように回転させ、かかる回転を楽曲検索画面３０において楽曲選択領域３１内の楽曲選択画像ＳＤＩに反映させる。これにより中央処理ユニット１０は、ユーザの要求に応じて楽曲検索画面３０の楽曲選択領域３１内で３次元空間画像ＴＤＩとして楽曲選択画像ＳＤＩを適宜回転させても、かかる回転を容易に元に戻すことができるようになされている。
【００２６】
さらに中央処理ユニット１０は、ユーザにより操作キー１４を介して拡大表示命令が入力されると、楽曲選択画像ＳＤＩに対し例えばカーソルＣｕの先端が重なっている位置（以下、これを倍率変換中心位置と呼ぶ）を基準にして所定の拡大率で拡大処理を施す。そして中央処理ユニット１０は、楽曲検索画面３０の楽曲選択領域３１に対し、当該楽曲選択領域３１の中心位置（以下、これを領域中心位置と呼ぶ）に倍率変換中心位置を合わせるようにして楽曲選択画像ＳＤＩの拡大部分を表示させる。このようにして中央処理ユニット１０は、ユーザにより拡大表示が要求される毎に、楽曲検索画面３０の楽曲選択領域３１内で楽曲選択画像ＳＤＩを順次拡大表示する。また中央処理ユニット１０は、ユーザにより操作キー１４を介して縮小表示命令が入力されると、楽曲選択画像ＳＤＩに対し倍率変換中心位置を基準として所定の縮小率で縮小処理を施す。そして中央処理ユニット１０は、楽曲検索画面３０の楽曲選択領域３１に対し領域中心位置に倍率変換中心位置を合わせるようにして楽曲選択画像ＳＤＩを表示させる。このようにして中央処理ユニット１０は、ユーザにより縮小表示が要求される毎に、楽曲検索画面３０の楽曲選択領域３１内で楽曲選択画像ＳＤＩを順次縮小表示する。これにより中央処理ユニット１０は、個々の楽曲表示子ＳＩをユーザの認識し易い好みの大きさに変更して楽曲選択画像ＳＤＩを提示することができる。
【００２７】
ところで中央処理ユニット１０は、このように楽曲検索画面３０の楽曲選択領域３１内で楽曲選択画像ＳＤＩの表示状態を適宜変更しつつ、ユーザによる操作キー１４の操作に応じて楽曲検索画面３０の楽曲選択画像ＳＤＩ上でカーソルＣｕにより任意に一点が選択部分として選択されると、このとき楽曲選択画像ＳＤＩにおいてカーソルＣｕの先端と重なっている位置（以下、これを選択位置と呼ぶ）の２次元平面座標を検出する。この場合、中央処理ユニット１０は、楽曲選択画像ＳＤＩ上で検出した選択位置の２次元平面座標を、上述した（１）式及び（２）式とは可逆な演算により３次元空間画像ＴＤＩ内の（すなわち、３次元空間画像ＴＤＩにおけるその時点の最も視点寄りの）３次元空間座標（以下、これを特に選択位置空間座標と呼ぶ）に変換する。また図７に示すように、中央処理ユニット１０は、楽曲選択画像ＳＤＩ上から３次元空間画像ＴＤＩ内に展開した選択位置（以下、これを展開選択位置と呼ぶ）Ｐ０の選択位置空間座標と、個々の楽曲表示子ＳＩ１乃至ＳＩｎが配置されている３次元空間座標との空間距離をそれぞれ求めて比較する。これにより中央処理ユニット１０は、展開選択位置Ｐ０と最も近い位置のものから順に遠い位置のものへ予め選定された基準選択数（例えば、10個）の楽曲表示子ＳＩ１乃至ＳＩｍを選択する。そして中央処理ユニット１０は、これら選択した基準選択数の楽曲表示子ＳＩ１乃至ＳＩｍにそれぞれ対応する楽曲のうち展開選択位置Ｐ０と最も近い位置の１つの楽曲表示子ＳＩ１に対応する楽曲を、ユーザにより好みの印象に応じて任意に選択された楽曲（以下、これを選択楽曲と呼ぶ）であると判別すると共に、残りの複数の楽曲表示子ＳＩ２乃至ＳＩｍに対応する複数の楽曲を、それぞれユーザの好みの印象に応じて選択される可能性の著しく高い選択候補の楽曲（以下、これを候補楽曲と呼ぶ）であると判別する。
【００２８】
さらに図８に示すように、中央処理ユニット１０は、楽曲検索画面３０の楽曲選択画像ＳＤＩ上で選択楽曲を示す楽曲表示子ＳＩ１を他の複数の楽曲表示子ＳＩ２乃至ＳＩｎとは異なる表示状態（例えば、異なる表示色）にすると共に、複数の候補楽曲に対応する複数の楽曲表示子ＳＩ２乃至ＳＩｍもその周囲の他の複数の楽曲表示子ＳＩｎとは異なる表示状態（例えば、異なる表示色）にする。これにより中央処理ユニット１０は、楽曲選択画像ＳＤＩ上でユーザにより選択された選択楽曲と、その選択により選択候補となった複数の候補楽曲とを、それぞれ他とは異なる表示状態の複数の楽曲表示子ＳＩ１乃至ＳＩｍによって当該選択楽曲及び複数の候補楽曲の印象と共にユーザに提示し得るようになされている。
【００２９】
これに加えて中央処理ユニット１０は、このように選択楽曲と複数の候補楽曲とを判別すると、例えば展開選択位置Ｐ０と最も近い位置の楽曲表示子ＳＩ１に対応する選択楽曲から順次遠い位置の楽曲表示子ＳＩ２乃至ＳＩｍに対応する候補楽曲の順番で楽曲データを再生して聴かせる。これにより中央処理ユニット１０は、選択楽曲と候補楽曲とがユーザの好みの印象に合った（又は近い）楽曲であるかどうかを実際に聴かせて確認させることができる。また中央処理ユニット１０は、選択楽曲及び複数の候補楽曲の楽曲データをそれぞれ再生する場合、予め選定されたさび部分のみを順番に再生して聴かせることにより、ユーザに対し選択楽曲及び複数の候補楽曲がそれぞれ好みの印象の楽曲であるかどうかを比較的短い時間で的確に確認させることができる。
【００３０】
さらに中央処理ユニット１０は、このとき再生中の選択楽曲や候補楽曲に対応する１つの楽曲表示子ＳＩ１乃至ＳＩｍを再生専用の表示状態（例えば、再生専用に選定された個別の表示色）にすると共に、楽曲検索画面３０の再生楽曲情報表示部３９に対し当該再生中の選択楽曲や候補楽曲の楽曲情報を表示する。これにより中央処理ユニット１０は、再生中の選択楽曲や候補楽曲の印象を提示しつつ当該選択楽曲や候補楽曲の曲名等をユーザに教えることができる。さらにまた中央処理ユニット１０は、このときユーザにより操作キー１４を介して楽曲検索画面３０の操作領域３２において再生開始ボタン３５が押下され、これに応じて一曲再生命令が入力されると、その時点に再生中の選択楽曲や候補楽曲を曲の先頭位置から再生しなおす。これにより中央処理ユニット１０は、選択楽曲及び複数の候補楽曲のさび部分を自動的に連続して再生する際、適宜所望の選択楽曲や複数の候補楽曲に対するさび部分のみの再生を一曲全ての再生に切り替えて楽曲全体の印象を確認させることができる。
【００３１】
さらに中央処理ユニット１０は、例えば候補楽曲に対するさび部分又は一曲全ての再生中に、ユーザにより操作キー１４を介して曲戻しボタン３６が押下され、これに応じて再生曲戻し命令が入力されると、その時点の候補楽曲に対するさび部分又は一曲全ての再生を中止し、１つ前に再生していた選択楽曲又は候補楽曲のさび部分を再生する。これにより中央処理ユニット１０は、再生中の候補楽曲を聴かせているときに、１つ前の選択楽曲又は候補楽曲の印象と比較するように要望されても、かかる要望に容易に対応して互いの楽曲同士の印象を迅速に比較させることができる。因みに中央処理ユニット１０は、選択楽曲に対するさび部分又は一曲全ての再生中に再生曲戻し命令が入力されると、そのときには当該選択楽曲のさび部分を最初から再生し直す。従って中央処理ユニット１０は、選択楽曲を再生しているときだけは当該選択楽曲を適宜繰り返し再生することで、かかる選択楽曲の印象をほぼ確実を確認させることができる。さらにまた中央処理ユニット１０は、選択楽曲又は候補楽曲に対するさび部分又は一曲全ての再生中に、ユーザにより操作キー１４を介して曲送りボタン３７が押下され、これに応じて再生曲送り命令が入力されると、その時点の選択楽曲又は候補楽曲に対するさび部分又は一曲全ての再生を中止し、次に再生する候補楽曲のさび部分を再生する。これにより中央処理ユニット１０は、ユーザにより選択楽曲や候補楽曲の再生開始早々にこれらの印象が確認されたとき、当該選択楽曲や候補楽曲を無駄に再生し続けることも回避することができる。
【００３２】
また中央処理ユニット１０は、ユーザによる操作キー１４の操作に応じて、楽曲検索画面３０の操作領域３２において検索条件入力部４１内に検索条件が入力された状態で検索命令が入力されると、かかる検索条件と、複数の楽曲データに基づく楽曲に関連する複数の楽曲関連情報データの内容とに基づいて、ユーザの入力した検索条件に合致する１又は複数の楽曲を検索する。そして中央処理ユニット１０は、その検索した１又は複数の楽曲に関連する楽曲関連情報データに含まれる楽曲識別情報と、楽曲分析情報２５とに基づいて、当該検索した１又は複数の楽曲に対応する１又は複数の楽曲表示子ＳＩを判別し、当該判別した１又は複数の楽曲表示子ＳＩを楽曲検索画面３０の楽曲選択画像ＳＤＩ内で他の複数の楽曲表示子ＳＩとは異なる表示状態（例えば、表示色）にする。これにより中央処理ユニット１０は、ユーザにより検索条件として指定されたアーティストやアルバム、ジャンル等の１又は複数の楽曲がどのような印象であるかを容易にかつ的確に提示し得るようになされている。因みに中央処理ユニット１０は、ユーザにより楽曲選択画像ＳＤＩ内で任意に選択楽曲が選択されたときや、検索結果を提示した場合にも、かかる楽曲選択画像ＳＤＩを上述と同様にして回転させ、また拡大表示及び縮小表示することができる。従って中央処理ユニット１０は、選択楽曲や検索された楽曲と印象の近い楽曲がどれくらい有るかを容易に確認させ得るようになされている。
【００３３】
ところで中央処理ユニット１０は、楽曲検索画面３０の楽曲選択画像ＳＤＩ内で選択楽曲及び複数の候補楽曲を判別した状態で、ユーザにより操作キー１４を介して当該楽曲検索画面３０の操作領域３２においてリスト作成ボタン４２が押下され、これに応じてプレイリスト作成命令が入力されると、これら選択楽曲及び複数の候補楽曲を登録する図１０に示すようなプレイリスト５０を作成する。この場合、中央処理ユニット１０は、プレイリスト５０固有の識別情報（以下、これをリスト識別情報と呼ぶ）ＰＬＩを発行し、これを当該プレイリスト５０に付加している。また中央処理ユニット１０は、かかるプレイリスト５０に対し、これら選択楽曲及び複数の候補楽曲を選択するときの基準となったユーザの好みの印象を示す上述した展開選択位置Ｐ０の選択位置空間座標（すなわち、楽曲選択画像ＳＤＩ上でユーザにより指示された好みの印象を表す３種類の印象項目値であり、以下、この印象を選択基準印象値と呼ぶ）ＳＳＩも登録している。さらに中央処理ユニット１０は、プレイリスト５０に対し、これら選択楽曲及び複数の候補楽曲を、対応する複数の楽曲分析情報２５それぞれに含まれる楽曲識別情報ＳＳとして登録している。因みに中央処理ユニット１０は、プレイリスト５０において、複数の楽曲識別情報ＳＳを例えば展開選択位置Ｐ０と最も近い位置の楽曲表示子ＳＩ１に対応する選択楽曲のものから順次遠い位置の楽曲表示子ＳＩ２乃至ＳＩｍに対応する候補楽曲のものとなる順番で並べてリスト化することで、これら複数の楽曲識別情報ＳＳの並びの順番により選択楽曲及び複数の候補楽曲の再生の順番（例えば、選択楽曲を最初に再生し、引き続き候補楽曲を順次再生するような順番）を規定している。そして中央処理ユニット１０は、プレイリスト５０を作成すると、これをプレイリストデータとしてハードディスクドライブ１６に記録する。
【００３４】
また中央処理ユニット１０は、プレイリスト５０を作成した場合、当該プレイリスト５０に対しユーザに自己が識別可能なリスト名称を任意に付与させ得るようになされている。このため中央処理ユニット１０は、かかるリスト名称とリスト識別情報ＰＬＩとを対応付けたリスト管理情報もハードディスクドライブ１６に記録している。従って中央処理ユニット１０は、楽曲データの再生時、ユーザによりリスト名称が指定され、引き続き楽曲データに対する再生命令が入力されると、まずリスト管理情報を用いて、当該指定されたリスト名称の付与されたプレイリスト５０を判別し、これをプレイリストデータとしてハードディスクドライブ１６から読み出す。これにより中央処理ユニット１０は、そのプレイリスト５０に従って複数の楽曲データを順番に再生し、かくしてユーザに対しこれら複数の楽曲データに基づく選択楽曲及び複数の候補楽曲を順番に聴かせることができるようになされている。
【００３５】
また中央処理ユニット１０は、プレイリスト５０を用いて選択楽曲及び複数の候補楽曲を再生する場合、当該プレイリスト５０に登録している選択楽曲及び複数の候補楽曲をそれぞれ再生したか否かを検出している。因みに中央処理ユニット１０は、プレイリスト５０に従い選択楽曲や複数の候補楽曲を再生する場合、それぞれ曲の先頭位置から例えば予め選定された所定時間以上再生したときには、その選択楽曲や複数の候補楽曲を再生したものと判別する。また中央処理ユニット１０は、ユーザにより任意に操作キー１４を介して曲送り命令が入力されたことで、選択楽曲や複数の候補楽曲を全く再生せず、また曲の先頭位置から所定時間再生する前に次に再生予定の候補楽曲に再生を切り替えたときには、その選択楽曲や候補楽曲を再生してはいないと判別する。このようにして中央処理ユニット１０は、プレイリスト５０に登録している選択楽曲及び複数の候補楽曲がユーザの好みの印象にどれだけ近いかを評価するための評価値として、これら選択楽曲及び複数の候補楽曲それぞれの再生回数をカウントする。そして中央処理ユニット１０は、プレイリスト５０毎に選択楽曲及び複数の候補楽曲それぞれの評価値としての再生回数を何れの楽曲（すなわち、選択楽曲及び複数の候補楽曲）のものであるかを判別するために楽曲識別情報ＳＳと対応付けると共に、当該プレイリスト５０のリスト識別情報ＰＬＩ（すなわち、プレイリスト５０）と対応付けて再生回数情報を生成し、これをハードディスクドライブ１６に記録している。
【００３６】
かかる状態で中央処理ユニット１０は、ユーザにより操作キー１４を介してプレイリスト５０が指定されると共に、当該指定されたプレイリスト５０に対する内容の修正命令が入力されると、その指定されたプレイリスト５０の内容を、これに対応する再生回数情報を用いて修正するようになされている。ここで中央処理ユニット１０は、かかるプレイリスト５０の内容修正処理を例えば３種類の第１乃至第３の処理手法で実行し得るようになされている。そして中央処理ユニット１０は、例えば、プレイリスト５０の内容修正処理に対する第１乃至第３の処理手法を、当該プレイリスト５０の内容を修正する際にユーザに対し任意に選択させるようになされている。従って以下には、第１乃至第３の処理手法によるプレイリスト５０の内容修正処理を順番に説明する。
【００３７】
まず中央処理ユニット１０は、プレイリスト５０の内容修正処理においてユーザにより第１の処理手法が選択された場合、ハードディスクドライブ１６から修正対象として指定されたプレイリスト５０をプレイリストデータとして読み出すと共に、当該プレイリスト５０に対応する再生回数情報も読み出す。そして中央処理ユニット１０は、再生回数情報に基づき、修正対象のプレイリスト５０に登録している全ての楽曲（すなわち、選択楽曲及び複数の候補楽曲）の再生回数を合算し、得られた合計再生回数を、予め選定された合計基準再生回数と比較する。その結果、合計再生回数が合計基準再生回数以上であると、修正対象のプレイリスト５０は選択楽曲及び複数の候補楽曲の再生に利用される回数が比較的多く、これら選択楽曲及び複数の候補楽曲はユーザの好みの印象の楽曲である可能性が著しく高いと判断することができる。これに対して合計再生回数が合計基準再生回数よりも少ないと、修正対象のプレイリスト５０は選択楽曲及び複数の候補楽曲の再生に利用される回数が比較的少なく、これら選択楽曲及び複数の候補楽曲はユーザの好みとは異なる印象の楽曲である可能性が高いと判断することができる。
【００３８】
従って中央処理ユニット１０は、このときハードディスクドライブ１６から楽曲分析情報２５を読み出す。そして中央処理ユニット１０は、合計再生回数が合計基準再生回数以上の場合、楽曲の選択範囲となる基準選択数をこれよりも多い増加変更選択数（例えば、20個）に変更する。この状態で中央処理ユニット１０は、修正対象のプレイリスト５０に含まれる選択基準印象値ＳＳＩ（すなわち、展開選択位置Ｐ０の選択位置空間座標）と、各楽曲を示す楽曲表示子ＳＩが配置される３次元空間座標との空間距離をそれぞれ求めて比較する。また中央処理ユニット１０は、かかる比較に応じて、選択基準印象値ＳＳＩ（すなわち、選択位置空間座標）が示す展開選択位置Ｐ０に対し最も近い位置のものから順に遠い位置のものへ増加変更選択数の楽曲表示子ＳＩを改めて選択し、当該選択した複数の楽曲表示子ＳＩにそれぞれ対応する楽曲を上述と同様に選択楽曲及び複数の候補楽曲として判別する。さらに中央処理ユニット１０は、修正対象のプレイリスト５０に対し、改めて判別した選択楽曲及び複数の候補楽曲のうちすでに登録している選択楽曲及び複数の候補楽曲以外の複数の候補楽曲を追加登録して当該プレイリスト５０の内容を修正する。これにより中央処理ユニット１０は、内容を修正したプレイリスト５０をプレイリストデータとしてハードディスクドライブ１６に送出し、内容修正前のプレイリストデータに上書きするようにして記録する。
【００３９】
このようにして図１１に示すように、中央処理ユニット１０は、プレイリスト５０に登録している選択楽曲及び複数の候補楽曲がユーザによってよく聴かれている場合、あたかも当該プレイリスト５０を作成したときに３次元空間画像ＴＤＩ内で選択基準印象値ＳＳＩを中心として設定していた球状の選択範囲ＳＡ１を、これよりも広い新たな選択範囲ＳＡ２に変更し、当該新たな選択範囲ＳＡ２内で、選択基準印象値ＳＳＩが表すユーザの好みの印象と似ている印象の複数の候補楽曲を新たに追加選択し、これらをプレイリスト５０に追加登録している。従って中央処理ユニット１０は、プレイリスト５０に登録している選択楽曲及び複数の候補楽曲がユーザによってよく聴かれている場合、そのプレイリスト５０の内容を修正して候補楽曲を追加することで、ユーザに対し、好みの印象に合った（又は近い）楽曲（すなわち、選択楽曲及び複数の候補楽曲）をさらに多く聴かせることができる。
【００４０】
これに対して中央処理ユニット１０は、合計再生回数が合計基準再生回数よりも少ない場合、楽曲の選択範囲となる基準選択数をこれよりも少ない削減変更選択数（例えば、５個）に変更する。この状態で中央処理ユニット１０は、修正対象のプレイリスト５０に含まれる選択基準印象値ＳＳＩ（すなわち、展開選択位置Ｐ０の選択位置空間座標）と、各楽曲を示す楽曲表示子ＳＩが配置される３次元空間座標との空間距離をそれぞれ求めて比較する。また中央処理ユニット１０は、かかる比較に応じて、選択基準印象値ＳＳＩ（すなわち、選択位置空間座標）が示す展開選択位置Ｐ０に対し最も近い位置のものから順に遠い位置のものへ削減変更選択数の楽曲表示子ＳＩを改めて選択し、当該選択した複数の楽曲表示子ＳＩにそれぞれ対応する楽曲を上述と同様に選択楽曲及び複数の候補楽曲として判別する。さらに中央処理ユニット１０は、修正対象のプレイリスト５０に対し、改めて判別した選択楽曲及び複数の候補楽曲についてはそのまま登録し、これら改めて判別した選択楽曲及び複数の候補楽曲以外のすでに登録していた複数の候補楽曲については削除（すなわち、登録を解消）して当該プレイリスト５０の内容を修正する。これにより中央処理ユニット１０は、内容を修正したプレイリスト５０をプレイリストデータとしてハードディスクドライブ１６に送出し、内容修正前のプレイリストデータに上書きするようにして記録する。
【００４１】
このようにして図１２に示すように、中央処理ユニット１０は、プレイリスト５０に登録している選択楽曲及び複数の候補楽曲がユーザによってあまり聴かれていない場合、あたかも当該プレイリスト５０を作成したときに３次元空間画像ＴＤＩ内で選択基準印象値ＳＳＩを中心として設定していた球状の選択範囲ＳＡ１を、これよりも狭い新たな選択範囲ＳＡ３に変更し、当該新たな選択範囲ＳＡ３内に存在している選択楽曲及び一部の候補楽曲のみを、選択基準印象値ＳＳＩが表すユーザの好みの印象と極力似ている印象の楽曲としてプレイリスト５０にそのまま残し、これら選択楽曲及び一部の候補楽曲を除く他の候補楽曲をユーザの好みの印象とは異なる印象の楽曲であるものとしてプレイリスト５０から削除している。従って中央処理ユニット１０は、プレイリスト５０に登録している選択楽曲及び複数の候補楽曲がユーザによってあまり聴かれていない場合、そのプレイリスト５０の内容を修正して一部の候補楽曲を削除することで、ユーザに対し、好みの印象に極力近い楽曲（すなわち、プレイリスト５０に残した選択楽曲及び一部の候補楽曲）のみを聴かせることができる。
【００４２】
また中央処理ユニット１０は、プレイリスト５０の内容修正処理においてユーザにより第２の処理手法が選択された場合、ハードディスクドライブ１６から修正対象として指定されたプレイリスト５０をプレイリストデータとして読み出すと共に、当該プレイリスト５０に対応する再生回数情報も読み出す。そして中央処理ユニット１０は、再生回数情報に基づき、修正対象のプレイリスト５０に登録している個々の楽曲（すなわち、選択楽曲及び複数の候補楽曲）の再生回数をそれぞれ予め選定された個別基準再生回数と比較する。その結果、修正対象のプレイリスト５０に登録している楽曲のうち再生回数が個別基準再生回数以上である楽曲については、ユーザの好みの印象の楽曲である可能性が著しく高いと判断することができる。これに対して修正対象のプレイリスト５０に登録している楽曲のうち再生回数が個別基準再生回数よりも少ない楽曲については、ユーザの好みとは異なる印象の楽曲である可能性が高いと判断することができる。
【００４３】
従って中央処理ユニット１０は、このときハードディスクドライブ１６から楽曲分析情報２５を読み出す。この場合、中央処理ユニット１０は、修正対象のプレイリスト５０に登録している個々の楽曲の再生回数と個別基準再生回数との比較結果、及びこれら複数の楽曲を示す楽曲表示子ＳＩが配置される３次元空間座標とに基づいて、個別基準再生回数以上再生された楽曲を示す楽曲表示子ＳＩが配置される３次元空間座標を検出する。そして中央処理ユニット１０は、これら検出した３次元空間座標をそのまま用いて、又は再生回数に応じて重み付けして（すなわち、再生回数が多いほど重みを大きくして）用いて、修正対象のプレイリスト５０に含まれる選択基準印象値ＳＳＩ（すなわち、展開選択位置Ｐ０の選択位置空間座標）を、ユーザの好みの印象に極力近い印象を表す印象値となるように補正する。そして中央処理ユニット１０は、その補正した選択基準印象値ＳＳＩ（すなわち、３次元空間座標であり、以下、これを補正基準印象値と呼ぶ）と、各楽曲を示す楽曲表示子ＳＩが配置される３次元空間座標との空間距離をそれぞれ求めて比較する。また中央処理ユニット１０は、かかる比較に応じて、補正基準印象値が示す補正選択位置に対し最も近い位置のものから順に遠い位置のものへ例えば基準選択数の楽曲表示子ＳＩを改めて選択し、当該選択した複数の楽曲表示子ＳＩにそれぞれ対応する楽曲を上述と同様に選択楽曲及び複数の候補楽曲として判別する。さらに中央処理ユニット１０は、修正対象のプレイリスト５０に対し、すでに登録していた選択楽曲及び複数の候補楽曲を削除（すなわち、登録を解除）し、改めて判別した選択楽曲及び複数の候補楽曲を登録し直して当該プレイリスト５０の内容を修正する。これにより中央処理ユニット１０は、内容を修正したプレイリスト５０をプレイリストデータとしてハードディスクドライブ１６に送出し、内容修正前のプレイリストデータに上書きするようにして記録する。
【００４４】
このようにして図１３に示すように、中央処理ユニット１０は、プレイリスト５０に登録している選択楽曲及び複数の候補楽曲の中にユーザによってよく聴かれている楽曲とあまり聴かれていない楽曲とがある場合、あたかも当該プレイリスト５０を作成したときに３次元空間画像ＴＤＩ内で選択基準印象値ＳＳＩを中心として設定していた球状の選択範囲ＳＡ１内で、よく聞かれている楽曲を示す楽曲表示子ＳＩと、あまり聴かれていない楽曲を示す楽曲表示子ＳＩとの分布を検出する。そして中央処理ユニット１０は、かかる３次元空間画像ＴＤＩ内で選択基準印象値ＳＳＩを、あまり聴かれていない楽曲を示す楽曲表示子ＳＩが比較的多く分布する第１の領域ＡＲ１から極力離し、かつよく聴かれていた楽曲を示す楽曲表示子ＳＩが比較的多く分布する第２の領域ＡＲ２に近づける又は入り込ませるように移動させて新たな補正基準印象値ＣＳＩとし、先の選択範囲ＳＡ１を当該補正基準印象値ＣＳＩを中心として場所を移動させた球状の新たな選択範囲ＳＡ４に変更する。これにより中央処理ユニット１０は、３次元空間画像ＴＤＩにおいて新たな選択範囲ＳＡ４内で、補正基準印象値ＣＳＩが表すユーザの好みの印象と極力近い印象の選択楽曲及び複数の候補楽曲を選択し、これらをプレイリスト５０に登録し直している。従って中央処理ユニット１０は、プレイリスト５０に登録している選択楽曲及び複数の候補楽曲の中に、ユーザによってよく聴かれている楽曲とあまり聴かれていない楽曲とが混在する場合、ユーザの好みの印象に近い印象の楽曲を増加させ、かつ当該好みの印象とは異なる印象の楽曲（すなわち、あまり聴かれていなかった楽曲）を削減するようにそのプレイリスト５０の内容を修正することで、ユーザに対し、好みの印象に極力近い印象の楽曲（すなわち、選択楽曲及び複数の候補楽曲）をより多く聴かせることができる。
【００４５】
さらに中央処理ユニット１０は、プレイリスト５０の内容修正処理においてユーザにより第３の処理手法が選択された場合、上述した第２の処理手法が選択された場合と同様に、修正対象のプレイリスト５０に登録している個々の楽曲（すなわち、選択楽曲及び複数の候補楽曲）の再生回数をそれぞれ予め選定された個別基準再生回数と比較する。そして中央処理ユニット１０は、修正対象のプレイリスト５０に登録している個々の楽曲を示す楽曲表示子ＳＩが配置される３次元空間座標のうち、個別基準再生回数以上再生された楽曲を示す楽曲表示子ＳＩが配置される３次元空間座標を検出する。そして中央処理ユニット１０は、これら検出した３次元空間座標をそのまま用いて、又は再生回数に応じて重み付けして（すなわち、再生回数が多いほど重みを大きくして）用いて、修正対象のプレイリスト５０に含まれる選択基準印象値ＳＳＩ（すなわち、展開選択位置Ｐ０の選択位置空間座標）から、ユーザの好みの印象に極力近い印象を表す印象値の方向（以下、これを好み印象方向と呼ぶ）を決定する。そして中央処理ユニット１０は、その選択基準印象値ＳＳＩ（すなわち、選択位置空間座標）と、各楽曲を示す楽曲表示子ＳＩが配置される３次元空間座標との空間距離をそれぞれ求めて比較する。また中央処理ユニット１０は、かかる比較に応じて、選択基準印象値ＳＳＩ（すなわち、選択位置空間座標）が示す展開選択位置Ｐ０に対し最も近い位置の楽曲表示子ＳＩから順に遠い位置の楽曲表示子ＳＩを判別し、当該判別した複数の楽曲表示子ＳＩの中から、好み印象方向と対向する方向（以下、これを異別印象方向と呼ぶ）に位置する楽曲表示子ＳＩよりも当該好み印象方向に位置する楽曲表示子ＳＩを所定の割り合いで多く選択するように例えば増加変更選択数（例えば、20個）の楽曲表示子ＳＩを改めて選択する。さらに中央処理ユニット１０は、このように選択した複数の楽曲表示子ＳＩにそれぞれ対応する楽曲を上述と同様に選択楽曲及び複数の候補楽曲として判別する。さらにまた中央処理ユニット１０は、修正対象のプレイリスト５０に対し、すでに登録していた選択楽曲及び複数の候補楽曲を削除（すなわち、登録を解除）し、改めて判別した選択楽曲及び複数の候補楽曲を登録し直して当該プレイリスト５０の内容を修正する。これにより中央処理ユニット１０は、内容を修正したプレイリスト５０をプレイリストデータとしてハードディスクドライブ１６に送出し、内容修正前のプレイリストデータに上書きするようにして記録する。
【００４６】
このようにして図１４に示すように、中央処理ユニット１０は、プレイリスト５０に登録している選択楽曲及び複数の候補楽曲の中にユーザによってよく聴かれている楽曲とあまり聴かれていない楽曲とがある場合、あたかも当該プレイリスト５０を作成したときに３次元空間画像ＴＤＩ内で選択基準印象値ＳＳＩを中心として設定していた球状の選択範囲ＳＡ１内で、よく聞かれている楽曲を示す楽曲表示子ＳＩと、あまり聴かれていない楽曲を示す楽曲表示子ＳＩとの分布を検出する。そして中央処理ユニット１０は、かかる３次元空間画像ＴＤＩ内で先の選択範囲ＳＡ１を、選択基準印象値ＳＳＩを基点として第１の領域ＡＲ１が存在する異別印象方向の第１の選択幅ＳＷ１を小さくし、かつ第２の領域ＡＲ２が存在する好み印象方向の第２の選択幅ＳＷ２を大きくするように例えば球状又は楕円体状のような新たな選択範囲ＳＡ５に変更する。これにより中央処理ユニット１０は、３次元空間画像ＴＤＩにおいて新たな選択範囲ＳＡ５内で、ユーザの好みの印象と極力近い印象の選択楽曲及び複数の候補楽曲を選択し、これらをプレイリスト５０に登録し直している。従って中央処理ユニット１０は、プレイリスト５０に登録している選択楽曲及び複数の候補楽曲の中に、ユーザによってよく聴かれている楽曲とあまり聴かれていない楽曲とが混在する場合、そのプレイリスト５０の内容を修正してユーザの好みの印象に近い印象の楽曲を増加させ、かつ当該好みの印象とは異なる印象の楽曲（すなわち、あまり聴かれていなかった楽曲）を削減することで、ユーザに対し、好みの印象に極力近い印象の楽曲（すなわち、選択楽曲及び複数の候補楽曲）をより多く聴かせることができる。
【００４７】
ここで実際上、中央処理ユニット１０は、上述した一連の楽曲選択処理をＲＯＭ１２に予め記憶している楽曲選択プログラムに従って実行している。すなわち中央処理ユニット１０は、ユーザにより操作キー１４を介して楽曲選択要求が入力されると、楽曲選択プログラムに従い図１５に示す楽曲選択処理手順ＲＴ１を開始する。中央処理ユニット１０は、かかる楽曲選択処理手順ＲＴ１を開始すると、ステップＳＰ１において全ての楽曲分析情報２５にそれぞれ含まれる１組の第１、第２及び第３の印象項目値ＳＰ、ＥＬ及びＮＥをそのまま３次元空間座標とし、これら複数の３次元空間座標にそれぞれ楽曲表示子ＳＩを配置した３次元空間画像ＴＤＩを、初期視点から見た２次元平面画像でなる楽曲選択画像ＳＤＩに変換して、次のステップＳＰ２に移る。ステップＳＰ２において中央処理ユニット１０は、かかる楽曲選択画像ＳＤＩを用いて楽曲検索画面データを生成し、これを表示コントローラ２１を介してディスプレイ２２に送出することにより、当該ディスプレイ２２に楽曲検索画面データに基づく楽曲検索画面３０を表示して、次のステップＳＰ３に移る。
【００４８】
ステップＳＰ３において中央処理ユニット１０は、楽曲検索画面３０内の楽曲選択領域３１に表示している楽曲選択画像ＳＤＩ上で、ユーザにより好みの印象を表す一点が選択部分として任意に選択されることを待ち受ける。そして中央処理ユニット１０は、かかる楽曲選択画像ＳＤＩ上でユーザにより一点が選択部分として任意に選択されると、次のステップＳＰ４に移る。ステップＳＰ４において中央処理ユニット１０は、楽曲選択画像ＳＤＩ上でユーザにより好みの印象として選択された一点を３次元空間画像ＴＤＩ内の展開選択位置Ｐ０に変換する。そして中央処理ユニット１０は、選択基準印象値ＳＳＩとしての展開選択位置Ｐ０の選択位置空間座標と、複数の楽曲表示子ＳＩが配置される３次元空間座標とに基づいて、ユーザにより自分の好みの印象に応じて任意に選択された選択楽曲を判別すると共に、当該ユーザにより自分の好みの印象に応じて選択される可能性の著しく高い複数の候補楽曲も合わせて判別して、次のステップＳＰ５に移る。
【００４９】
ステップＳＰ５において中央処理ユニット１０は、プレイリスト５０を作成するか否かを判別する。このステップＳＰ５において肯定結果が得られると、このことはユーザにより今後、選択楽曲及び複数の候補楽曲をその都度選択し直さなくても、容易に聴ける状態にするように要求されたことを表している。従って中央処理ユニット１０は、このとき次のステップＳＰ６に移る。そしてステップＳＰ６において中央処理ユニット１０は、ステップＳＰ４において判別した選択楽曲及び複数の候補楽曲を登録したプレイリスト５０を作成した後、次のステップＳＰ７に移り、かかる楽曲選択処理手順ＲＴ１を終了する。ところでステップＳＰ５において否定結果が得られると、このことはユーザにより今後、選択楽曲及び複数の候補楽曲を何時でも聴ける状態にするように要求されてはいないことを表している。従って中央処理ユニット１０は、このときステップＳＰ６の処理を飛ばしてステップＳＰ７に移り、かかる楽曲選択処理手順ＲＴ１を終了する。
【００５０】
また中央処理ユニット１０は、上述した一連のプレイリスト５０に対する内容修正処理をＲＯＭ１２に予め記憶しているリスト修正プログラムに従って実行している。すなわち中央処理ユニット１０は、ユーザにより操作キー１４を介して修正対象のプレイリスト５０が指定されると共に修正命令が入力されると、リスト修正プログラムに従って図１６に示すリスト修正処理手順ＲＴ２を開始する。中央処理ユニット１０は、かかるリスト修正処理手順ＲＴ２を開始すると、ステップＳＰ１１においてユーザにより第１の処理手法が選択されているか否かを判別する。このステップＳＰ１１において肯定結果が得られると、このことは修正対象のプレイリスト５０に登録されている選択楽曲及び複数の候補楽曲が全体としてユーザの好みの印象の楽曲である、又は全体としてユーザの好みの印象とは異なることを表している。従って中央処理ユニット１０は、このとき次のステップＳＰ１２に移る。
【００５１】
ステップＳＰ１２において中央処理ユニット１０は、修正対象のプレイリスト５０に登録されている全ての楽曲（すなわち、選択楽曲及び複数の候補楽曲）の再生回数を合算し、得られた合計再生回数を合計基準再生回数と比較して、次のステップＳＰ１３に移る。ステップＳＰ１３において中央処理ユニット１０は、その比較結果に応じて基準選択数を増加変更選択数又は削減変更選択数に変更し、選択基準印象値ＳＳＩを基準として、その比較結果に応じた増加変更選択数又は削減変更選択数の楽曲表示子ＳＩを改めて選択する。そして中央処理ユニット１０は、その選択した複数の楽曲表示子ＳＩにそれぞれ対応する楽曲を選択楽曲及び複数の候補楽曲として判別し、その判別結果に応じて修正対象のプレイリスト５０の内容を複数の候補楽曲を追加登録するようにして修正し、又は一部の候補楽曲を削除するようにして修正した後、次のステップＳＰ１４に移り、かかるリスト修正処理手順ＲＴ２を終了する。
【００５２】
一方、上述したステップＳＰ１１において否定結果が得られると、このことは修正対象のプレイリスト５０に登録されている選択楽曲及び複数の候補楽曲の中に、ユーザによってよく聴かれている楽曲とあまり聴かれていない楽曲とが混在していることを表している。従って中央処理ユニット１０は、このとき次のステップＳＰ１５に移る。ステップＳＰ１５において中央処理ユニット１０は、ユーザにより第２の処理手法が選択されているか否かを判別する。このステップＳＰ１５において肯定結果が得られると、このことはユーザにより修正対象のプレイリスト５０に登録している選択楽曲及び複数の候補楽曲全体の数は変更せずに少なくとも一部の楽曲を新たな楽曲と変更するように要求されていることを表している。従って中央処理ユニット１０は、このとき次のステップＳＰ１６に移る。ステップＳＰ１６において中央処理ユニット１０は、修正対象のプレイリスト５０に登録している個々の楽曲（すなわち、選択楽曲及び複数の候補楽曲）の再生回数をそれぞれ個別基準再生回数と比較して、次のステップＳＰ１７に移る。ステップＳＰ１７において中央処理ユニット１０は、その比較結果に応じて選択基準印象値ＳＳＩを補正基準印象値ＣＳＩに補正することで楽曲表示子ＳＩに対する選択領域の場所の変更し、かかる補正基準印象値ＣＳＩを基準として、基準選択数の楽曲表示子ＳＩを改めて選択する。そして中央処理ユニット１０は、その選択した複数の楽曲表示子ＳＩにそれぞれ対応する楽曲を選択楽曲及び複数の候補楽曲として判別し、修正対象のプレイリスト５０の内容を、当該判別した選択楽曲及び複数の候補楽曲を登録し直すようにして修正した後、ステップＳＰ１４に移り、かかるリスト修正処理手順ＲＴ２を終了する。
【００５３】
また上述したステップＳＰ１５において否定結果が得られると、このことはユーザにより修正対象のプレイリスト５０に登録している選択楽曲及び複数の候補楽曲全体の数と共に少なくとも一部の楽曲を新たな楽曲と変更するように要求されていることを表している。従って中央処理ユニット１０は、このとき次のステップＳＰ１９に移る。ステップＳＰ１９において中央処理ユニット１０は、修正対象のプレイリスト５０に登録している個々の楽曲（すなわち、選択楽曲及び複数の候補楽曲）の再生回数をそれぞれ個別基準再生回数と比較して、次のステップＳＰ２０に移る。ステップＳＰ２０において中央処理ユニット１０は、その比較結果に応じて選択基準印象値ＳＳＩを基準とし楽曲表示子ＳＩをより多く選択するための好み印象方向を決定すると共に、これに合わせて楽曲表示子ＳＩに対する選択領域の場所、及び当該楽曲表示子ＳＩの選択数も変更して、次のステップＳＰ２１に移る。ステップＳＰ２１において中央処理ユニット１０は、選択基準印象値ＳＳＩを基準として好み印象方向に応じて増加変更選択数の楽曲表示子ＳＩを改めて選択する。そして中央処理ユニット１０は、その選択した複数の楽曲表示子ＳＩにそれぞれ対応する楽曲を選択楽曲及び複数の候補楽曲として判別し、修正対象のプレイリスト５０の内容を、当該判別した選択楽曲及び複数の候補楽曲を登録し直すようにして修正した後、ステップＳＰ１４に移り、かかるリスト修正処理手順ＲＴ２を終了する。
【００５４】
以上の構成において、データ記録再生装置１は、複数の楽曲データをハードディスクドライブ１６に記録する。またデータ記録再生装置１は、これら複数の楽曲データを分析することにより当該楽曲データに基づく楽曲毎の印象を表すための３種類の項目それぞれを数値化し、その結果得られた第１、第２及び第３の印象項目値ＳＰ、ＥＬ及びＮＥを含む楽曲分析情報２５を生成して、これら楽曲毎の楽曲分析情報２５もハードディスクドライブ１６に記録する。データ記録再生装置１は、ユーザにより楽曲を選択するように要求されると、全ての楽曲分析情報２５にそれぞれ含まれる１組の第１、第２及び第３の印象項目値ＳＰ、ＥＬ及びＮＥをそのまま個々の楽曲の印象を表す楽曲印象値でなる３次元空間座標とし、これら複数の３次元空間座標にそれぞれ楽曲表示子ＳＩを配置した３次元空間画像ＴＤＩを、初期視点から見た２次元平面画像でなる楽曲選択画像ＳＤＩに変換する。そしてデータ記録再生装置１は、かかる楽曲選択画像ＳＤＩを含む楽曲検索画面３０をディスプレイ２２に表示する。
【００５５】
この状態でデータ記録再生装置１は、楽曲検索画面３０内の楽曲選択領域３１に表示している楽曲選択画像ＳＤＩ上で、ユーザにより好みの印象を表す一点が選択部分として任意に選択されると、当該選択された一点を３次元空間画像ＴＤＩ内の展開選択位置Ｐ０に変換する。またデータ記録再生装置１は、３次元空間画像ＴＤＩ内で展開選択位置Ｐ０の３次元空間座標でなる選択基準印象値ＳＳＩを基準とした所定の選択範囲（すなわち、展開選択位置Ｐ０と複数の楽曲表示子ＳＩとの空間距離、及び楽曲表示子ＳＩを選択するための基準選択数で適宜決定する選択範囲）内に存在する複数の楽曲印象値を選択すると共に、当該選択した複数の楽曲印象値に対応する複数の楽曲のうち所定の１つの楽曲をユーザにより好みの印象に応じて任意に選択された選択楽曲である判別すると共に、残りの複数の楽曲を当該ユーザにより好みの印象に応じて選択される可能性の著しく高い複数の候補楽曲であると判別する。そしてデータ記録再生装置１は、選択楽曲及び複数の候補楽曲を判別した状態でユーザによりプレイリスト５０を作成するように要求されると、これに応じてこれら選択楽曲及び複数の候補楽曲を登録したプレイリスト５０を作成する。
【００５６】
このようにしてデータ記録再生装置１は、プレイリスト５０を作成した後、ユーザにより楽曲の再生に利用するプレイリスト５０が選択され、当該楽曲の再生が要求されると、そのプレイリスト５０に従ってこれに登録している選択楽曲及び複数の候補楽曲を順番に再生してユーザに聴かせる。ところでデータ記録再生装置１は、プレイリスト５０を利用してこれに登録されている選択楽曲及び複数の候補楽曲を再生した場合、これら選択楽曲及び複数の候補楽曲の再生回数をカウントする。そしてデータ記録再生装置１は、ユーザによりプレイリスト５０の内容を修正するように要求されたとき、修正対象のプレイリスト５０に登録されている選択楽曲及び複数の候補楽曲の再生回数を当該選択楽曲及び複数の候補楽曲がユーザの好みの印象にどれだけ近いかを評価するための評価値として用いて、選択楽曲及び複数の候補楽曲の選択に利用する選択範囲（例えば、基準選択数）を変更する。これによりデータ記録再生装置１は、その変更した選択範囲と、複数の楽曲印象値とに基づいてプレイリスト５０の内容を修正する。
【００５７】
従ってデータ記録再生装置１は、プレイリスト５０に登録した選択楽曲及び複数の候補楽曲がユーザの好みの印象にどれだけ近いかを表す評価値を検出し、当該検出した評価値に基づいて、楽曲選択時の選択範囲を変更することで、楽曲印象値を使用して作成されたプレイリスト５０を、ユーザの好みの印象の楽曲をできるだけ多く登録するように修正することができる。
【００５８】
以上の構成によれば、データ記録再生装置１は、ハードディスクドライブ１６に対し、複数の楽曲それぞれの印象を数値化して得られる楽曲印象値と、基準印象値ＳＳＩを基準とした選択範囲内の複数の楽曲印象値に対応する複数の楽曲を登録して再生させるためのプレイリスト５０とを記録しておき、楽曲の再生に応じて、当該プレイリスト５０に登録された複数の楽曲の評価値を検出し、当該検出した評価値に基づいて選択範囲を変更するようにして、その変更した選択範囲と、記録していた複数の楽曲印象値とに応じてプレイリスト５０を修正するようにした。これによりデータ記録再生装置１は、楽曲印象値を使用して作成されたプレイリスト５０を、好みの印象の楽曲を登録するように修正することができる。よってデータ記録再生装置１は、プレイリスト５０に従い好みの印象の楽曲を再生させることができる。
【００５９】
またデータ記録再生装置１は、修正対象のプレイリスト５０に登録している選択楽曲及び複数の候補楽曲の印象がそれぞれどのくらいユーザの好みの印象に近いかにより、第１乃至第３の処理手法を任意に選択させて当該プレイリスト５０の内容を修正するようにした。これによりデータ記録再生装置１は、修正対象のプレイリスト５０に対し、ユーザの好みの印象に近い印象の楽曲については極力残し、かつユーザの好みの印象とは異なる印象の楽曲については削除するようにして当該プレイリスト５０の内容を修正することができる。よってデータ記録再生装置１は、このようにしてプレイリスト５０の内容を修正することで、かかるプレイリスト５０に従いユーザの好みの印象に極力近い印象の楽曲を再生して聴かせることができる。
【００６０】
なお上述した実施の形態においては、図７について上述したように、３次元空間画像ＴＤＩ内で展開選択位置Ｐ０と最も近い位置のものから順に遠い位置のものへ予め選定された基準選択数の楽曲表示子ＳＩ１乃至ＳＩｍを選択し、これら選択した基準選択数の楽曲表示子ＳＩ１乃至ＳＩｍにそれぞれ対応する楽曲のうち展開選択位置Ｐ０と最も近い位置の１つの楽曲表示子ＳＩ１に対応する楽曲を選択楽曲であると判別すると共に、残りの複数の楽曲表示子ＳＩ２乃至ＳＩｍに対応する複数の楽曲を候補楽曲であると判別するようにした場合について述べたが、本発明はこれに限らず、図１７（Ａ）に示すように、３次元空間画像ＴＤＩ内で展開選択位置Ｐ０を中心とする所定半径ｒ１の球でなる選択範囲ＳＡ１０内に存在する全ての楽曲表示子ＳＩ１乃至ＳＩｍを選択し、これら選択した楽曲表示子ＳＩ１乃至ＳＩｍにそれぞれ対応する楽曲のうち例えば展開選択位置Ｐ０と最も近い位置の１つの楽曲表示子ＳＩ１に対応する楽曲を選択楽曲であると判別すると共に、残りの複数の楽曲表示子ＳＩ２乃至ＳＩｐに対応する複数の楽曲を候補楽曲であると判別するようにしても良い。また図１７（Ｂ）に示すように、データ記録再生装置１では、３次元空間画像ＴＤＩ内で展開選択位置Ｐ０を通る視線上で視点から最も遠い（又は展開選択位置Ｐ０から予め選定された所定距離だけ奥の）選択位置Ｐ１と最も近い位置のものから順に遠い位置のものへ基準選択数の楽曲表示子ＳＩ１０乃至ＳＩｑを選択し（又は、選択位置Ｐ１を中心とする所定半径の球状の選択範囲内に存在する全ての楽曲表示子ＳＩを選択し）、これら選択した基準選択数の楽曲表示子ＳＩ１０乃至ＳＩｑにそれぞれ対応する楽曲のうち選択位置Ｐ１と最も近い位置の１つの楽曲表示子ＳＩ１０に対応する楽曲を選択楽曲であると判別すると共に、残りの複数の楽曲表示子ＳＩ１１乃至ＳＩｑに対応する複数の楽曲を候補楽曲であると判別するようにしても良い。
【００６１】
これに加えて図１８（Ａ）及び（Ｂ）に示すように、データ記録再生装置１では、３次元空間画像ＴＤＩ内で展開選択位置Ｐ０と通る視線を中心軸ＳＬ１とした所定半径ｒ２の円筒でなる選択範囲ＳＡ１１内に存在する全ての楽曲表示子ＳＩ１乃至ＳＩｒを選択し、これら選択した楽曲表示子ＳＩ１乃至ＳＩｒにそれぞれ対応する楽曲のうち例えば中心軸ＳＬ１と最も近い位置の１つの楽曲表示子ＳＩ２に対応する楽曲を選択楽曲であると判別すると共に、残りの複数の楽曲表示子ＳＩ１乃至ＳＩｒに対応する複数の楽曲を候補楽曲であると判別するようにしても良いし、３次元空間画像ＴＤＩ内で展開選択位置Ｐ０を通る視線を選択基準線ＳＬ２とし当該選択基準線ＳＬ２と最も近い位置のものから順に遠い位置のものへ基準選択数の楽曲表示子ＳＩ１乃至ＳＩｓを選択し、これら選択した基準選択数の楽曲表示子ＳＩ１乃至ＳＩｓにそれぞれ対応する楽曲のうち選択基準線ＳＬ２と最も近い位置の１つの楽曲表示子ＳＩ１６に対応する楽曲を選択楽曲であると判別すると共に、残りの複数の楽曲表示子ＳＩ２乃至ＳＩｓに対応する複数の楽曲を候補楽曲であると判別するようにしても良い。さらに図１９に示すように、データ記録再生装置１では、３次元空間画像ＴＤＩ内で展開選択位置Ｐ０を通る視線を選択基準線ＳＬ２とし当該選択基準線ＳＬ２上に位置する楽曲表示子ＳＩ２０乃至ＳＩｔを選択し、これら選択した基準選択数の楽曲表示子ＳＩ２０乃至ＳＩｔにそれぞれ対応する楽曲のうち展開選択位置Ｐ０と最も近い位置の１つの楽曲表示子ＳＩ２０に対応する楽曲を選択楽曲であると判別すると共に、残りの複数の楽曲表示子ＳＩ２１乃至ＳＩｔに対応する複数の楽曲を候補楽曲であると判別するようにしても良い。
【００６２】
さらにまたデータ記録再生装置１は、３次元空間画像ＴＤＩ内で展開選択位置Ｐ０や選択位置Ｐ１を基準として複数の候補楽曲を選択するようにした場合について述べたが、当該展開選択位置Ｐ０や選択位置Ｐ１を基準として１つの選択楽曲を選択した後、その選択楽曲を示す楽曲表示子ＳＩを基準として（すなわち、かかる楽曲表示子ＳＩと距離の近い、又は当該楽曲表示子ＳＩを中心とした選択範囲内の）複数の候補楽曲を選択するようにしても良い。データ記録再生装置１では、このようにしても楽曲の印象を表す３種類の項目のうち少なくとも２種類の項目をユーザの好みとほぼ一致させ、当該ユーザの好みの印象に極力近い印象の楽曲を選択することができる。
【００６３】
また上述した実施の形態においては、３次元空間画像ＴＤＩ内であたかも展開選択位置Ｐ０を中心とした円状の選択範囲内ＳＡ１乃至ＳＡ５に存在する楽曲表示子ＳＩを選択し、当該選択した楽曲表示子ＳＩに対応する楽曲を選択楽曲及び複数の候補楽曲として判別するようにした場合について述べたが、本発明はこれに限らず、例えば３次元空間画像ＴＤＩ内であたかも展開選択位置Ｐ０を中心とするＸＹ平面、ＹＺ平面及びＺＸ平面のいずれかと平行な円状のような種々の形状の選択範囲内に存在する楽曲表示子ＳＩを選択し、当該選択した楽曲表示子ＳＩに対応する楽曲を選択楽曲及び複数の候補楽曲として判別するようにしても良い。さらにまたデータ記録再生装置１では、２次元平面画像でなる楽曲選択画像ＳＤＩ上で選択部分の位置を基準にして選択楽曲及び複数の候補楽曲を判別するようにしても良い。
【００６４】
さらに上述した実施の形態においては、図７について上述したように、３次元空間画像ＴＤＩ内で展開選択位置Ｐ０と最も近い位置のものから順に遠い位置のものへ予め選定された基準選択数の楽曲表示子ＳＩ１乃至ＳＩｍを選択し、これら選択した基準選択数の楽曲表示子ＳＩ１乃至ＳＩｍにそれぞれ対応する楽曲のうち展開選択位置Ｐ０と最も近い位置の１つの楽曲表示子ＳＩ１に対応する楽曲を選択楽曲であると判別すると共に、残りの複数の楽曲表示子ＳＩ２乃至ＳＩｍに対応する複数の楽曲を候補楽曲であると判別するようにした場合について述べたが、本発明はこれに限らず、３次元空間画像ＴＤＩ内で展開選択位置Ｐ０を基準として複数の楽曲表示子ＳＩを選択し、これら選択した複数の楽曲表示子ＳＩにそれぞれ対応する楽曲を全て選択楽曲であると判別するようにしても良い。
【００６５】
さらに上述した実施の形態においては、ユーザに対し楽曲選択画像ＳＤＩ上で任意に一点を選択部分として選択させるようにした場合について述べたが、本発明はこれに限らず、ユーザに対し楽曲選択画像ＳＤＩ上で任意に円形等の所定形状の領域を選択部分として選択させるようにしても良い。ところでデータ記録再生装置１では、例えばユーザにより楽曲選択画像ＳＤＩ上でカーソルＣｕの移動軌跡に応じて任意に円や楕円、四角のような種々の枠が描かれた場合、かかる枠内に存在する楽曲表示子ＳＩを選択し、当該選択した楽曲表示子ＳＩに対応する楽曲を全て選択楽曲として判別するようにしても良い。そしてデータ記録再生装置１では、このようにユーザの描いた枠により複数の選択楽曲を判別した場合、これら複数の選択楽曲を全て登録したプレイリストを作成するようにしても良い。このようにすれば、データ記録再生装置１では、ユーザに対し自己の好みの印象に応じてプレイリストに登録したい印象の楽曲を自由に選択させることができる。
【００６６】
さらに上述した実施の形態においては、ハードディスクドライブ１６に記録した複数の楽曲データを分析することにより、これら楽曲データに基づく楽曲毎の印象を表すための速さ、音色及び年代のような３種類の項目それぞれを数値化して第１、第２及び第３の印象項目値ＳＰ、ＥＬ及びＮＥとしての楽曲印象値を得るようにした場合について述べたが、本発明はこれに限らず、少なくとも１種類の項目を数値化するようにすれば、楽曲毎の印象を表すためのテンポ、明るさのような曲調、爽快さのような雰囲気のように、この他種々の項目を数値化して楽曲印象値を得るようにしても良い。
【００６７】
さらに上述した実施の形態においては、データ記録再生装置１がプレイリスト５０を作成し、これを当該データ記録再生装置１における楽曲の再生に利用するようにした場合について述べたが、本発明はこれに限らず、データ記録再生装置１がプレイリスト５０と、これに登録した選択楽曲及び複数の候補楽曲の楽曲データとを外部機器との通信用の外部機器インタフェース２０を介して外部機器に送信して記録させ、当該外部機器でそのプレイリスト５０に従いこれに登録された選択楽曲及び複数の候補楽曲を順番に再生するようにしても良い。ところでデータ記録再生装置１は、外部機器がプレイリスト５０に従って選択楽曲及び複数の候補楽曲を順番に再生している場合、外部機器インタフェース２０に外部機器が接続されたとき、当該外部機器からプレイリスト５０に登録している選択楽曲及び複数の候補楽曲それぞれの再生回数を評価値として検出していることにより送信された当該評価値を外部機器インタフェース２０で受信して取り込み、かかる評価値に基づいて選択範囲を変更してプレイリスト５０の内容を修正するようにしても良い。そしてデータ記録再生装置１は、このように外部機器で楽曲の再生に利用させたプレイリスト５０の内容を修正したときには、当該内容を修正したプレイリスト５０を外部機器インタフェース２０を介して外部機器に送信し、当該外部機器においてプレイリスト５０を更新させるようにしても良い。またデータ記録再生装置１は、このように内容を修正したプレイリスト５０を外部機器インタフェース２０を介して外部機器に送信する場合、かかるプレイリスト５０に対する内容の修正で当該プレイリスト５０に新たに登録した楽曲の楽曲データも当該外部機器インタフェース２０を介して外部機器に転送するようにしても良い。
【００６８】
さらに上述した実施の形態においては、データ記録再生装置１がプレイリスト５０を作成し、これを当該データ記録再生装置１における楽曲の再生に利用するようにした場合について述べたが、本発明はこれに限らず、データ記録再生装置１がプレイリスト５０を、これに登録した選択楽曲及び複数の候補楽曲の楽曲データに対する外部機器への転送に利用させるようにしても良い。そしてデータ記録再生装置１は、このようにプレイリスト５０を楽曲データの転送に利用させる場合、当該プレイリスト５０に登録している選択楽曲及び複数の候補楽曲に対しそれぞれ転送するか否かをユーザに選択させ、これら選択楽曲及び複数の候補楽曲それぞれの転送回数を評価値として選択範囲を調節するようにしても良い。
【００６９】
さらに上述の実施の形態においては、データ記録再生装置１が、プレイリスト５０に登録した選択楽曲及び複数の候補楽曲それぞれの再生回数をカウントし、かかる再生回数を選択範囲の変更に用いる評価値とするようにした場合について述べたが、本発明はこれに限らず、データ記録再生装置１が、プレイリスト５０に登録した選択楽曲及び複数の候補楽曲それぞれに対し、ユーザに自分の好みの印象を基準としてこれら選択楽曲及び複数の候補楽曲それぞれがどれくらい自分の好みの印象に近いかを数値化して評価させ、その評価結果でなる評価値を用いて選択範囲を調節するようにしても良い。この場合、データ記録再生装置１では、評価値に応じて選択範囲を変更することでプレイリスト５０の内容を修正する際、かかるプレイリスト５０に登録している選択楽曲及び複数の候補楽曲のうち、選択範囲の変更内容にかかわらずに、決して削除しない楽曲や必ず削除する楽曲をユーザに対し任意に選択させ、かかる選択内容をプレイリスト５０の内容の修正に反映させるようにしても良い。
【００７０】
さらに上述した実施の形態においては、データ記録再生装置１が修正対象のプレイリスト５０に登録している選択楽曲及び複数の候補楽曲それぞれの評価値に基づいて変更した選択範囲を用いて当該プレイリスト５０の内容を修正するようにした場合について述べたが、本発明はこれに限らず、データ記録再生装置１が修正対象のプレイリスト５０に登録している選択楽曲及び複数の候補楽曲の楽曲印象値をそれぞれ基準印象値として用いて複数の新たなプレイリストを作成するようにしても良い。すなわち、データ記録再生装置１は、かかる構成の場合、プレイリスト５０に登録している選択楽曲及び複数の候補楽曲それぞれの評価値に基づいて、対応する選択楽曲及び複数の候補楽曲の楽曲印象値それぞれを基準印象値とした個別選択範囲を決定し、これら複数の楽曲印象値でなる基準印象値それぞれを基準とした対応する個別選択範囲内の複数の楽曲印象値に対応する楽曲を登録した新たなプレイリストを作成する。
【００７１】
さらに上述した実施の形態においては、ＲＯＭ１２に予め記憶したリスト修正プログラムに従って図１６について上述したリスト修正処理手順ＲＴ２を実行するようにした場合について述べたが、本発明はこれに限らず、この他種々の構成のリスト修正プログラムが格納されたプログラム格納媒体をデータ記録再生装置１にインストールすることによりリスト修正処理手順ＲＴ２を実行するようにしても良い。
【００７２】
さらに上述した実施の形態においては、本発明によるコンテンツ再生装置及びリスト修正装置を、図１乃至図１９について上述したデータ記録再生装置１に適用するようにした場合について述べたが、本発明はこれに限らず、コンピュータや携帯電話機、ＰＤＡ（Personal Digital Assistance ）、ゲーム機器等の情報処理装置、ビデオカメラやデジタルスチルカメラ、ＤＶＤ（Digital Versatile Disc）レコーダやハードディスクレコーダ等の記録再生装置等のように、この他種々の構成のコンテンツ再生装置及びリスト修正装置に広く適用することができる。
【００７３】
さらに上述した実施の形態においては、コンテンツとして、図１乃至図１９について上述した楽曲を適用するようにした場合について述べたが、本発明はこれに限らず、写真画像や、映画のような動画像、ゲームプログラム等のように、この他種々のコンテンツを広く適用することができる。
【００７４】
さらに上述した実施の形態においては、複数のコンテンツそれぞれの印象を数値化して得られるコンテンツ印象値と、基準印象値を基準とした選択範囲内の複数のコンテンツ印象値に対応する複数のコンテンツを登録して利用させるためのリストとを記録する記録部として、図１乃至図１９について上述したハードディスクドライブ１６を適用するようにした場合について述べたが、本発明はこれに限らず、データ記録再生装置１に着脱可能なディスク状記録媒体や半導体記録媒体にコンテンツ印象値及びリストを記録するメディアドライブ等のように、この他種々の記録部を広く適用することができる。
【００７５】
さらに上述した実施の形態においては、記録部に記録する、基準印象値を基準とした選択範囲内の複数のコンテンツ印象値に対応する複数のコンテンツを登録して利用させるためのリストとして、図１乃至図１９について上述したプレイリスト５０を適用するようにした場合について述べたが、本発明はこれに限らず、データ転送用の転送リストのように、この他種々のリストを広く適用することができる。
【００７６】
さらに上述した実施の形態においては、再生部によるコンテンツの再生に応じて、リストに登録された複数のコンテンツの評価値を検出する評価値検出部として、図１乃至図１９について上述した中央処理ユニット１０を適用するようにした場合について述べたが、本発明はこれに限らず、再生部によるコンテンツの再生に応じて、リストに登録された複数のコンテンツの評価値を検出するハードウェア構成の評価値検出回路等のように、この他種々の評価値検出部を広く適用することができる。
【００７７】
さらに上述した実施の形態においては、評価値検出部により検出された評価値に基づいて選択範囲を変更する選択範囲変更部として、図１乃至図１９について上述した中央処理ユニット１０を適用するようにした場合について述べたが、本発明はこれに限らず、評価値検出部により検出された評価値に基づいて選択範囲を変更するハードウェア構成の選択範囲変更回路等のように、この他種々の選択範囲変更部を広く適用することができる。
【００７８】
さらに上述した実施の形態においては、選択範囲変更部により変更された選択範囲と、複数のコンテンツ印象値とに応じてリストを修正するリスト修正部として、図１乃至図１９について上述した中央処理ユニット１０を適用するようにした場合について述べたが、本発明はこれに限らず、選択範囲変更部により変更された選択範囲と複数のコンテンツ印象値とに応じてリストを修正するハードウェア構成のリスト修正回路等のように、この他種々のリスト修正部を広く適用することができる。
【産業上の利用可能性】
【００７９】
本発明は、データ記録再生装置や楽曲配信サーバ、パーソナルコンピュータ等のコンテンツ再生装置及びリスト修正装置に利用することができる。
【図面の簡単な説明】
【００８０】
【図１】本発明によるデータ記録再生装置の回路構成の一実施の形態を示すブロック図である。
【図２】楽曲の印象を示すための３種類の項目を示す略線図である。
【図３】楽曲分析情報を示す略線図である。
【図４】３次元空間画像の構成を示す略線図である。
【図５】楽曲検索画面の構成を示す略線図である。
【図６】３次元空間画像の回転の説明に供する略線図である。
【図７】楽曲の選択の説明に供する略線図である。
【図８】選択楽曲及び候補楽曲の提示の説明に供する略線図である。
【図９】楽曲検索画面による楽曲の検索結果の提示の説明に供する略線図である。
【図１０】プレイリストの構成を示す略線図である。
【図１１】第１の処理手法によるプレイリストの内容更新（１）の説明に供する略線図である。
【図１２】第１の処理手法によるプレイリストの内容更新（２）の説明に供する略線図である。
【図１３】第２の処理手法によるプレイリストの内容更新の説明に供する略線図である。
【図１４】第３の処理手法によるプレイリストの内容更新の説明に供する略線図である。
【図１５】楽曲選択処理手順を示すフローチャートである。
【図１６】リスト修正処理手順を示すフローチャートである。
【図１７】他の実施の形態による楽曲の選択（１）の説明に供する略線図である。
【図１８】他の実施の形態による楽曲の選択（２）の説明に供する略線図である。
【図１９】他の実施の形態による楽曲の選択（３）の説明に供する略線図である。
【符号の説明】
【００８１】
１……データ記録再生装置、１０……中央処理ユニット、１８……再生処理部、２０……外部機器インタフェース、５０……プレイリスト、ＡＸ……投影軸画像、ＣＳＩ……補正基準印象値、ＥＬ……第２の印象項目値、ＮＥ……第３の印象項目値、ＳＡ１乃至ＳＡ５、ＳＡ１０、ＳＡ１１……選択範囲、ＳＤＩ……楽曲選択画像、ＳＩ……楽曲表示子、ＳＳＩ……選択基準印象値、ＳＰ……第１の印象項目値、ＴＤＩ……３次元空間画像、ＲＴ２……リスト修正処理手順。
【図１】
2007172138.tif 000003
【図２】
2007172138.tif 000004
【図３】
2007172138.tif 000005
【図４】
2007172138.tif 000006
【図５】
2007172138.tif 000007
【図６】
2007172138.tif 000008
【図７】
2007172138.tif 000009
【図８】
2007172138.tif 000010
【図９】
2007172138.tif 000011
【図１０】
2007172138.tif 000012
【図１１】
2007172138.tif 000013
【図１２】
2007172138.tif 000014
【図１３】
2007172138.tif 000015
【図１４】
2007172138.tif 000016
【図１５】
2007172138.tif 000017
【図１６】
2007172138.tif 000018
【図１７】
2007172138.tif 000019
【図１８】
2007172138.tif 000020
【図１９】
2007172138.tif 000021